(57)【要約】【課題】積み重ね容器において、移送中に蓋や重ねた容器が互いにずれないように固定できるようにした容器を提供する。【解決手段】積み重ね容器において、任意の数だけ積み重ねた個箱の上面開口を蓋で閉塞し、個箱側面及び蓋を含んで少なくとも１本の再剥離可能な固定テープを貼付し、個箱を固定するという手段を採用した。具体的には、１本の固定テープを個箱の対向する側面及び蓋上面を含んで貼付し、個箱を固定するという手段、２本の固定テープを蓋上面で交差させ、個箱の側面を含んで貼付するという手段、１本乃至複数本の固定テープを個箱の各側面と蓋を含んで貼付するという手段をそれぞれ採用した。また、上下に積み重なる個箱の側面の相互間及び個箱側面と蓋の相互間にそれぞれ再剥離性を有する固定テープを貼付して個箱を固定するという手段も採用した。【選択図】  図１
2004323096.tif 000002
【特許請求の範囲】
【請求項１】
任意の数だけ積み重ねた個箱の上面開口を蓋で閉塞し、個箱側面及び蓋を含んで少なくとも１本の再剥離可能な固定テープを貼付し、個箱を固定したことを特徴とする積み重ね容器。
【請求項２】
１本の固定テープを個箱の対向する側面及び蓋上面を含んで貼付し、個箱を固定した請求項１記載の積み重ね容器。
【請求項３】
２本の固定テープを蓋上面で交差させ、個箱の側面を含んで貼付した請求項１記載の積み重ね容器。
【請求項４】
１本乃至複数本の固定テープを個箱の各側面と蓋を含んで貼付した請求項１記載の積み重ね容器
【請求項５】
任意の数だけ積み重ねた個箱の上面開口を蓋で閉塞し、上下に積み重なる個箱の側面の相互間及び個箱側面と蓋の相互間にそれぞれ再剥離性を有する固定テープを貼付して個箱を固定したことを特徴とする積み重ね容器。
【発明の詳細な説明】
【０００１】
【発明の属する技術分野】
この発明は、蓋付き容器や、積み重ね容器などにおいて、移送中に蓋や重ねた容器が互いにずれないように固定できるようにした容器に関する。
【０００２】
【従来の技術】
おせち料理を詰めた重箱や折り詰めなど、蓋付き容器や積み重ね容器などの場合、これを持ち運ぶには、そのまま全体を包装紙や風呂敷等で包んだり、あらかじめひも等で十字に結んだりして容器がずれないようにして持ち運ぶのが一般的である。
【０００３】
また、特許文献１に示すように、密封蓋を嵌めた容器を重ね合わせた上から両側にベルトを伸縮自在に備えた蓋を被せ、最下段の容器の掛止部にベルトのフックを掛けて各容器と蓋を一体化し、蓋の両側に折畳み自在に備えた提げ手を持って運べるようにした提げ手付き重箱も提案されている。
【０００４】
【特許文献１】
特開平１１−３５０４２号公報
【０００５】
【発明が解決しようとする課題】
しかしながら、前者の場合、移送途中で結び目や紐が緩んだり外れたりして、蓋や各容器がずれてしまい、中身がこぼれてしまうことがあった。さらに、これらの容器は密閉性に乏しく、食品衛生上の問題もある。
【０００６】
一方、後者の特許文献１の場合、密封性は保つことができるが、構造が複雑で高価であると共に、フックを位置決めして掛止しなければならないなど、取り扱いが不便であった。
【０００７】
また、近年では紙や発泡樹脂等を用いた簡易な積み重ね容器が多用されているが、上記特許文献１に示されたような構造はこれらの容器に採用することはできず、一方、これら容器の多数を紐で結束すると、最下段及び最上段において、紐が当接する容器の角縁部に大きな荷重が集中してかかり、該部が破損するという問題も指摘されている。
【０００８】
【課題を解決するための手段】
上記課題を解決するため、本発明においては、積み重ね容器において、任意の数だけ積み重ねた個箱の上面開口を蓋で閉塞し、個箱側面及び蓋を含んで少なくとも１本の再剥離可能な固定テープを貼付し、個箱を固定するという手段を採用した。
【０００９】
具体的には、１本の固定テープを個箱の対向する側面及び蓋上面を含んで貼付し、個箱を固定するという手段、２本の固定テープを蓋上面で交差させ、個箱の側面を含んで貼付するという手段、１本乃至複数本の固定テープを個箱の各側面と蓋を含んで貼付するという手段をそれぞれ採用した。
【００１０】
また、上下に積み重なる個箱の側面の相互間及び個箱側面と蓋の相互間にそれぞれ再剥離性を有する固定テープを貼付して個箱を固定するという手段も採用した。
【００１１】
かかる構成を採用した積み重ね容器は、再剥離性を有する固定テープで各個箱を固定するものであるから、移送中は個箱が固定され、各段のずれなどを生じないという作用効果が期待できる。また、各段が密封して固定されるため、食品衛生上の問題も回避できる。さらに、固定テープに適宜意匠を施すことにより、装飾的効果や広告的効果を期待できる。
【００１２】
また、固定テープは再剥離性を有するものであるから、容易にはがすことができ、はがした跡が残らない。また、再度貼着することが可能であり、繰り返し利用の利便性が高まるものである。さらに、紐で結束する場合のように容器の角縁部に荷重がかからず、簡易な容器であっても破損することがない。
【００１３】
【発明の実施の形態】
以下、本発明にかかる積み重ね容器の好ましい実施形態を図面に従って説明する。図１において、１は食品を入れる重箱で、同一形状の個箱１ａ、１ａ・・を任意の数だけ積み重ね（図では３段）蓋１ｂで上面開口を閉塞できるようにしている。各個箱１ａの上縁にはその側壁面よりわずかに内側に凸段部２ａを設け、各個箱１ａの底面または蓋の裏側面に設けた凹段部２ｂと嵌合して、互いにずれることなく密着して積み上げることができるようにしている。３は固定テープであって、図２に示すように、重箱の対向する側面と蓋の上面を含んで連続して貼付し、各個箱及び蓋を互いに密に結合するものである。これによって、個箱は互いに密着し、中身がこぼれ出すことがなく、移送中にずれを生じることがない。
【００１４】
なお、この固定テープ３は、紙、布、プラスチックシート等その素材は問わないが、粘着面３ａが再剥離性を有するものとし、貼り付けている間は各個箱を確実に結合するが、容易にはがすことができ、はがした後に粘着剤等が残らずきれいにはがすことができるようにしたものである。さらに、一旦はがした後、再度貼付すれば、前回と同様の粘着力で各個箱を連結することができるものである。ただし、本発明の容器においては、主に移送時のずれの防止や密封性を目的とするものであるから、固定テープの再剥離性は恒久的なものである必要はなく、数回の着脱に耐えうるものであれば十分である。
【００１５】
また、上記固定テープ３の外側面には、必要に応じて様々な意匠を施すことができる。即ち、容器内の商品内容に応じて、例えば慶事の場合には松竹梅や鶴亀などの意匠を包装用紙的に施して装飾的効果を奏するようにしたりすることができ、その他、商品名や商店名などを施して広告的効果を期待することもできる。
【００１６】
なお、固定テープは、粘着面に離型紙を貼着したものであって、あらかじめ容器の大きさに応じた規格長さに切断したものを用いることも、また、離型紙を使用せず、ロール状に巻いたものを必要長さに切断して用いることもできる。
【００１７】
図３は固定テープの貼付方法のいくつかの態様例を示すものである。同図（Ａ）は固定テープを２本用い、蓋上面で十字状に交差させて個箱側面に貼付したものである。この貼付方法が最も強固に各個箱を固定できる。次に（Ｂ）は固定テープを個箱の各側面のみに貼付したものである。この方法でも、前期実施形態とほぼ同様の強度を得ることができる。また、（Ｃ）は個箱の各段の境界部分ごとに個別に固定テープを貼付したものである。この方法では、必要な段のみ固定テープをはがして個箱を開くことができる利点がある。
【００１８】
なお、上記各実施形態では重箱の形状について、正方形の容器を例に図示しているが、これに限定されるものではなく、容器形状は、円形、半円形、扇形等任意の形状の容器に適用できる。要するに、上下に重ねた容器の側面に再剥離性を有する固定テープを連続して貼付して容器を固定するものであればよい。このため、例えば紐で結束することが難しい円形等の曲面の側面を有する容器でも強固に固定できる。
【００１９】
【発明の効果】
以上述べたように、本発明容器によれば、各個箱の側面を含んで連続して固定することができるので、容器を積み重ねて、移送、配送する場合に、蓋や容器が互いにずれることがないという格別の効果を期待できるものである。
【００２０】
また、上下に重ねた各個箱は、互いに密着して固定されるので、密閉性、気密性を保持することができ、食品衛生の面でも優れている。
【００２１】
さらに、固定テープに任意の意匠を施すことによって、装飾性のある包装紙的役割や、広告的役割を果たすことができ、商品のイメージの向上に役立つものである。
【００２２】
また、紙や発泡樹脂等を用いた簡易な容器であっても、確実に固定でき、紐で結束する場合のように角縁部を破損することがない。
【図面の簡単な説明】
【図１】本発明にかかる積み重ね容器の構成の一例を一部切欠して示す分解斜視図である。
【図２】重箱を固定テープで連結した態様を示す斜視図である。
【図３】固定テープの貼付方法の態様例を示す斜視図である。
【符号の説明】
１    重箱
１ａ  個箱
１ｂ  蓋
２ａ  凸段部
２ｂ  凹段部
３    固定テープ
【図１】
2004323096.tif 000003
【図２】
2004323096.tif 000004
【図３】
2004323096.tif 000005